(57)【要約】【課題】  簡単な構成でＡＭラジオ放送信号の受信時に、スイッチング電源回路のスイッチング信号による妨害を受けないようにすることを目的とする。【解決手段】  ＡＭラジオ放送信号を受信できるようにすると共にスイッチング電源回路１２を有する電子機器において、このスイッチング電源回路１２のスイッチング周波数ａを検出すると共にＡＭラジオ放送信号の受信周波数ｂを検出し、このスイッチング周波数ａの整数Ｎ倍の周波数（ａ×Ｎ）がこのＡＭラジオ放送信号の受信周波数領域に入ったときにこのスイッチング電源回路１２に負荷１４を加え、スイッチング周波数を変更するようにしたものである。【選択図】        図１
2007068266.tif 000002
【特許請求の範囲】
【請求項１】
ＡＭラジオ放送信号を受信できるようにすると共にスイッチング電源回路を有する電子機器において、
前記スイッチング電源回路のスイッチング周波数を検出すると共にＡＭラジオ放送信号の受信周波数を検出し、前記スイッチング周波数の整数倍の周波数が前記ＡＭラジオ放送信号の受信周波数領域に入ったときに前記スイッチング電源回路に負荷を加えスイッチング周波数を変更するようにしたことを特徴とする電子機器。
【請求項２】
請求項１記載の電子機器において、
前記受信周波数領域は、前記受信周波数をｂとし、前記受信周波数を中心にスイッチングノイズが入りこまない領域をｃとしたときに、ｂ−ｃ以上ｂ+ｃ以下であることを特徴とする電子機器。
【発明の詳細な説明】
【技術分野】
【０００１】
本発明は、ＡＭラジオ放送信号を受信できるようにすると共にスイッチング電源回路（チョッパーレギュレータも含む）を有する電子機器に関する。
【背景技術】
【０００２】
一般に、チューナ，ＣＤプレーヤ、カセットテープレコーダ等が一体化されているオーディオシステム等の電子機器においては、ＡＭラジオ放送信号が受信できると共に電源として、スイッチング電源回路（チョッパーレギュレータも含む）が使用されている。
【０００３】
斯かる、従来のＡＭラジオ放送信号を受信できるようにすると共にスイッチング電源回路（チョッパーレギュレータも含む）を有する電子機器においては、スイッチング電源回路のスイッチング信号によるスイッチングノイズが大きいため、この電子機器内で電源部とチューナ部とを離したり、電源部か又はチューナ部のどちらかを板金等で囲む等シールドをしなければならなかった。
【０００４】
特に、突発的な負荷の増加例えばカセットテープレコーダでＡＭラジオ放送信号を録音したり、ＣＤプレーヤにＣＤをローディングしたりするときは、良好な状態でＡＭラジオ放送信号を受信しているときでも、このスイッチング電源回路のスイッチング信号が突発的なノイズとして聴こえる不都合があった。
【０００５】
また、特許文献１に、従来、チューナ、アンプ、ＣＤプレーヤ、カセットテープレコーダ等が一体化されているオーディオシステムにおいて、入力信号の大きさに応じて、アンプに供給する電圧値（低電圧と高電圧と）をスイッチング回路で切換えるようにしたものがあり、この場合、チューナがこのアンプの近くで動作しているときに、このスイッチング回路のスイッチングによるノイズがラジオ放送に漏れこんでしまい、このチューナからノイズとして出力され、特に高速動作を行うこのスイッチング回路のスイッチング信号の高調波成分がノイズとしてＡＭラジオ放送信号の周波数帯にのりやすい現象があるので、この現象を無くすため、ＡＭラジオ放送信号の受信時には、このスイッチング回路を不動作とし、このアンプに低電圧のみを供給するようにしたものが開示されている。
【特許文献１】特許第３４３９０４９号公報
【発明の開示】
【発明が解決しようとする課題】
【０００６】
然しながら、この電子機器内で電源部とチューナ部とを離すようにしたときには、この電子機器の設計に自由度がなくなると共に大型化する不都合があった。
【０００７】
また、電源部か又はチューナ部のどちらかを板金等で囲む等シールドをするようにしたときには、このシールドをすることによりコストが高くなる不都合があった。
【０００８】
本発明は、斯かる点に鑑み、簡単な構成でＡＭラジオ放送信号の受信時に、スイッチング電源回路のスイッチング信号による妨害を受けないようにすることを目的とする。
【課題を解決するための手段】
【０００９】
本発明電子機器は、ＡＭラジオ放送信号を受信できるようにすると共にスイッチング電源回路を有する電子機器において、このスイッチング電源回路のスイッチング周波数を検出すると共にＡＭラジオ放送信号の受信周波数を検出し、このスイッチング周波数の整数倍の周波数がこのＡＭラジオ放送信号の受信周波数領域に入ったときにこのスイッチング電源回路に負荷を加え、スイッチング周波数を変更するようにしたものである。
【発明の効果】
【００１０】
本発明によれば、スイッチング電源回路のスイッチング周波数の整数倍の周波数がＡＭラジオ放送信号の受信周波数領域に入ったときに、このスイッチング電源回路に負荷を加えて、スイッチング周波数を変更するようにしているので、簡単な構成で、ＡＭラジオ放送信号の受信時に、スイッチング電源回路のスイッチング信号による妨害を受けることがない。
【発明を実施するための最良の形態】
【００１１】
以下、図面を参照して本発明電子機器を実施するための最良の形態の例につき説明する。図１例は、チューナ、電力増幅回路、ＣＤプレーヤ、カセットテープレコーダ等が一体化されているオーディオシステムである。
【００１２】
図１において、１はオーディオシステムを構成するマイクロコンピュータ等より成る主コントローラを示す。２は、ＡＭラジオ放送信号、ＦＭラジオ放送信号等が受信できるアンテナを示し、このアンテナ２よりのＡＭラジオ放送信号、ＦＭラジオ放送信号等をチューナ３に供給する。
【００１３】
このチューナ３は主コントローラ１よりバスライン３ａを介して供給される受信制御信号に従って所望の放送局よりのラジオ放送信号を選局し、この選局されたラジオ放送信号をこのバスライン３ａを介して主コントローラ１に供給する。
【００１４】
従って、このチューナ３は、この主コントローラ１が指示した例えばＡＭラジオ放送信号を選局するので、この主コントローラ１においては、受信中のＡＭラジオ放送信号の受信周波数ｂを知ることができる。
【００１５】
この主コントローラ１で選択された音声信号をバスライン４ａを介して電力増幅回路４に供給し、この音声信号をこの電力増幅回路４よりスピーカ５Ｌ、５Ｒに供給する。
【００１６】
図１において、６はＣＤを再生するＣＤプレーヤを示し、このＣＤプレーヤ６は主コントローラ１よりバスライン６ａを介して供給される制御信号に従って選曲、再生等が制御すると共にこのＣＤプレーヤ６よりの再生音声信号をこのバスライン６ａを介して主コントローラ１に供給する。
【００１７】
また、７はカセットテープに記録し、またこのカセットテープを再生するカセットテープレコーダを示し、このカセットテープレコーダ７は主コントローラ１よりバスライン７ａを介して供給される制御信号により、記録、再生等の制御がなされると共にこの主コントローラ１で選択された記録用の音声信号が、この主コントローラ１よりバスライン７ａを介して供給される。
【００１８】
また、このカセットテープレコーダ７で再生した音声信号をこのバスライン７ａを介して主コントローラ１に供給する。
【００１９】
また、８はユーザが、この主コントローラ１に所望の指示を与える操作部を示し、この操作部８よりの指示信号を主コントローラ１に供給する。また、９は、この主コントローラ１が行う制御内容等を表示する表示装置である。
【００２０】
また、１０は商用電源が供給されるプラグを示し、このプラグ１０に供給される商用電源を、周知のスイッチング電源回路１２に供給する。このスイッチング電源回路１２は、表１及び図３に示す如く、負荷が増大するに従ってスイッチング周波数が低下する。
【００２１】
【表１】
2007068266.tif 000003
【００２２】
図３は、この表１を曲線で表示したもので、図３の曲線ａ１は、スイッチング電源回路１２の入力電圧をＡＣ９５Ｖとしたもので、負荷として、出力電流が０．０５Ａ、１Ａ，２Ａ、３Ａ、４Ａ、５Ａ、６Ａ、７Ａと変化したときのスイッチング周波数の変化を示し、このスイッチング周波数は順次５８．５ｋＨｚ、５５．８ｋＨｚ、５５．８ｋＨｚ、５４ｋＨｚ、５３ｋＨｚ、５２ｋＨｚ、５１ｋＨｚ、４６ｋＨｚである。
【００２３】
図３の曲線ｂ１は、スイッチング電源回路１２の入力電圧をＡＣ１２０Ｖとしたもので、負荷として、出力電流が０．０５Ａ、１Ａ，２Ａ、３Ａ、４Ａ、５Ａ、６Ａ、７Ａ、８Ａと変化したときのスイッチング周波数の変化を示し、このスイッチング周波数は順次７０．９ｋＨｚ、６７．１ｋＨｚ、６４ｋＨｚ、６４ｋＨｚ、６２．５ｋＨｚ、６０．５ｋＨｚ、５８．８ｋＨｚ、５６．５ｋＨｚ、５５．８ｋＨｚである。
【００２４】
図３の曲線ｃ１は、スイッチング電源回路１２の入力電圧をＡＣ１５０Ｖとしたもので、負荷として、出力電流が０．０５Ａ、１Ａ，２Ａ、３Ａ、４Ａ、５Ａ、６Ａ、７Ａ、８Ａと変化したときのスイッチング周波数の変化を示し、このスイッチング周波数は順次１０５ｋＨｚ、９２ｋＨｚ、８７．７ｋＨｚ、８５．５ｋＨｚ、８０．６４ｋＨｚ、７９ｋＨｚ、７６ｋＨｚ、７５ｋＨｚ、７３ｋＨｚである。
【００２５】
本例においては、このスイッチング電源回路１２の出力側に得られる直流電圧を電源として、主コントローラ１、チューナ３、電力増幅回路４、ＣＤプレーヤ６、カセットテープレコーダ７、操作部８及び表示装置９に夫々供給すると共に本例においては、このスイッチング電源回路１２の出力側を接続スイッチ１３及び負荷１４の直列回路を介して接地する。
【００２６】
この負荷１４としては、このオーディオシステムとしての電子機器の通常の負荷（出力電流）とスイッチング周波数との関係で所定の抵抗値の抵抗器等を使用する。
【００２７】
本例においては、このスイッチング電源回路１２のスイッチング信号を主コントローラ１に供給し、この主コントローラ１において、このスイッチング周波数を検出する。
【００２８】
また、本例においては、この主コントローラ１で、このスイッチング電源回路１２のスイッチング信号を検出したスイッチング周波数をａとし、ＡＭラジオ放送信号の受信周波数をｂとし、この受信周波数ｂを中心にスイッチングノイズが入り込まない領域をｃ（例えば５〜１０ｋＨｚ）としたとき、
ｂ−ｃ＜ａ×Ｎ＜ｂ＋ｃ
の演算を行う。但し、Ｎは正の整数である。
【００２９】
この式の意味は、スイッチング電源回路１２のスイッチング周波数ａの整数Ｎ倍が、ＡＭラジオ放送信号の受信周波数の領域ｂ−ｃ以上、ｂ＋ｃ以下に入ってきたかどうかを検出している。
【００３０】
本例においては、この主コントローラ１において、この演算
ｂ−ｃ＜ａ×Ｎ＜ｂ＋ｃ
が成立したときには、スイッチング周波数ａの整数Ｎ倍の高調波成分が受信周波数領域に入りスイッチングノイズを発生するので、本例においては、このときに、接続スイッチ１３をオンとし、このスイッチング電源回路１２の出力側に負荷１４を加え、このスイッチング電源回路１２のスイッチング周波数ａを変更し、このスイッチング周波数ａの高調波成分（ａ×Ｎ）がＡＭラジオ放送信号の受信周波数領域外のｂ−ｃ以下又はｂ＋ｃ以上となる如くする。
【００３１】
本例の動作につき、更に図２のフローチャートに従って説明する。本例においては、ＡＭラジオ放送信号を受信しているかを判断する（ステップＳ１）。ＡＭラジオ放送信号を受信していないときには受信するまで待ち、ＡＭラジオ放送信号を受信したときには、主コントローラ１において、スイッチング電源回路１２のスイッチング周波数ａを検出する（ステップＳ２）と共にＡＭラジオ放送信号の受信周波数ｂを検出する（ステップＳ３）。
【００３２】
このＡＭラジオ放送信号の受信周波数ｂは、チューナ３が主コントローラ１の指示に従って決定しているので、この主コントローラ１で知ることができる。
【００３３】
次に、
ｂ−ｃ＜ａ×Ｎ＜ｂ＋ｃ
であるかどうかを判断する（ステップＳ４）。即ち、スイッチング周波数ａの高調波成分（ａ×Ｎ）がＡＭラジオ放送信号の受信周波数領域ｂ−ｃ以上、ｂ＋ｃ以下に入っているかどうかを判断し（ステップＳ４）、この受信周波数領域に入っていないときはスイッチングノイズは無いものとしてステップＳ１に戻る。
【００３４】
このステップＳ４で、スッチング周波数ａの高調波成分（ａ×Ｎ）が、この受信周波数領域に入っているときには、スッチングノイズを発生しているので、接続スイッチ１３をオンとし、スイッチング電源回路１２の出力側に負荷１４を加え、このスイッチング電源回路１２のスイッチング周波数を変更し、このスッチング周波数ａの高調波成分（ａ×Ｎ）がＡＭラジオ放送信号の受信周波数領域外のｂ−ｃ以下又はｂ＋ｃ以上となるごとくする。その後、ステップＳ１に戻る。
【００３５】
このステップＳ４において、既に、接続スイッチ１３がオンとされているときには、この接続スイッチ１３をオフとし、スイッチング電源回路の出力側の負荷を変更（負荷１４を除く）し、このスッチング周波数ａの高調波成分（ａ×Ｎ）がＡＭラジオ放送信号の受信周波数領域外のｂ−ｃ以下又はｂ＋ｃ以上となる如くする。
【００３６】
この場合、スイッチング電源回路１２の出力側に負荷１４を加えたり、除いたりするだけなので、このスイッチング電源回路１２の出力側の他の負荷には何等悪影響を及ぼすことはない。
【００３７】
以上述べた如く、本例によれば、スイッチング電源回路１２のスイッチング周波数ａの整数Ｎ倍の周波数（ａ×Ｎ）がＡＭラジオ放送信号の受信周波数領域に入ったときに、このスイッチング電源回路１２に負荷１４を加えて、スイッチング周波数を変更するようにしているので、簡単な構成で、ＡＭラジオ放送信号の受信時に、スイッチング電源回路１２のスイッチング信号による妨害を受けることがなく、良好なＳ／Ｎを保つことができる。
【００３８】
更に、本例においては、従来は電子機器の突発的な負荷の増加例えばカセットテープレコーダ７でＡＭラジオ放送信号を録音したり、ＣＤプレーヤ６にＣＤをローディングしたりするとき等に、良好な状態でＡＭラジオ放送信号を受信しているときでも、このスイッチング電源回路１２のスイッチング信号が突発的なノイズとして聴こえていたが、そのノイズもなくなり、常に安定した状態でＡＭラジオ放送信号を受信することができる。
【００３９】
本例電子機器によれば、電源部とチューナ部とを離す必要がないので、この電子機器の設計に自由度が増すと共にこの電源部とチューナ部とを離す必要がないので、この電子機器を小型化することができる。
【００４０】
また、本例によれば、電源部又はチューナ部にシールドする必要がないので、電子機器の設計の材料費を安くすることができる。
【００４１】
尚、上述例は、本発明をオーディオシステムに適用した例につき述べたが、本発明はその他の電子機器に適用できることは勿論である。
【００４２】
また、本発明は上述例に限ることなく、本発明の要旨を逸脱することなく、その他種々の構成が採り得ることは勿論である。
【図面の簡単な説明】
【００４３】
【図１】本発明電子機器を実施するための最良の形態の例を示す構成図である。
【図２】本発明の説明に供するフローチャートである。
【図３】本発明の説明に供する線図である。
【符号の説明】
【００４４】
１…主コントローラ、２…アンテナ、３…チューナ、４…出力増幅回路、５Ｌ、５Ｒ…スピーカ、６…ＣＤプレーヤ、７…カセットテープレコーダ、８…操作部、９…表示部、１２…スイッチング電源回路、１３…接続スイッチ、１４…負荷
【図１】
2007068266.tif 000004
【図２】
2007068266.tif 000005
【図３】
2007068266.tif 000006